(57)【要約】      （修正有）【課題】軽量性は維持すると共に、風呂蓋の上に乗ってはいけないことを直感的にわからせつつも、それでも誤って乗ってしまった幼児や使用者の浴槽への滑落を防止することで安全性を向上させることができる風呂蓋を提供する。【解決手段】浴槽１００の３辺に載置され、他の風呂蓋と突き合わせて浴槽１００を覆うように構成された風呂蓋１３であって、圧縮永久ひずみが２０％以下且つたわみ性を有する発泡樹脂製芯材を有する本体部２０を備えており、本体部２０は表裏面に補強用の樹脂板を備えていないものであって、かつ、垂直荷重に対する撓みが許容されるよう構成されており、さらに、少なくとも垂直荷重が作用した際のみ浴槽１００と接触する本体部２０の表面である撓み時接触面に滑り防止部５１を設けた。【選択図】図４
2015066322.tif 000002
【特許請求の範囲】
【請求項１】
浴槽の３辺に載置され、他の風呂蓋と突き合わせて浴槽を覆うように構成された風呂蓋であって、
圧縮永久ひずみが２０％以下且つたわみ性を有する発泡樹脂製芯材を有する本体部を備えており、
前記本体部は表裏面に補強用の樹脂板を備えていないものであって、かつ、垂直荷重に対する撓みが許容されるよう構成されており、
さらに、少なくとも垂直荷重が作用した際のみ前記浴槽と接触する前記本体部の表面である撓み時接触面に滑り防止部を設けることにより、
前記本体部に垂直荷重が作用した際に、前記本体部の他の風呂蓋と突き合わせる側の端部である突き合わせ端部における撓み変形を抑制して、前記突き合わせ端部と、突き合わせ相手となる前記他の風呂蓋との間の鉛直方向における隙間の発生を抑制することを特徴とする風呂蓋。
【請求項２】
前記滑り防止部の表面は、前記本体部を浴槽に載置し、前記本体部に垂直荷重が作用していない状態において、前記浴槽と接触している前記本体部の接触面より上方にある請求項１記載の風呂蓋。
【請求項３】
前記滑り防止部は、少なくとも前記突き合わせ端部近傍の前記撓み時接触面に設けられている請求項２記載の風呂蓋。
【発明の詳細な説明】
【技術分野】
【０００１】
本発明は、浴槽の上に載せる風呂蓋に関する。
【背景技術】
【０００２】
従来より、複数の板状の風呂蓋の端部どうしを突き合わせることにより浴槽を覆うよう構成された風呂蓋がある。
【０００３】
このような風呂蓋として、風呂蓋に大きな荷重がかかった場合でも破損しないような剛性や、断熱性という基本性能を持たせた構造が知られている。例えば、断熱性の高い発泡樹脂の板を芯材とし、これに剛性をもたせるために、芯材の表裏面全体に硬質な樹脂板を設けた構造である。
【０００４】
しかし、この構造では、表裏面全体に設けた硬質な樹脂板が重く、高齢者にとっては取り扱いにくいという問題があり、風呂蓋の軽量化が求められている。
【先行技術文献】
【特許文献】
【０００５】
【特許文献１】実開平２−１１９０８６号公報
【発明の概要】
【発明が解決しようとする課題】
【０００６】
風呂蓋を片手でも取り扱いできる程度に軽量化するためには、風呂蓋の表裏面に設けていた樹脂板を除くことが考えられる。
【０００７】
しかし、樹脂板を除いた発泡樹脂製芯材だけの構成では、幼児が誤って風呂蓋の上に乗ってしまった場合に、発泡樹脂の割れや撓みが生じて、浴槽内へと滑落してしまうことが懸念される。
【０００８】
そこで、軽量化を維持しつつ、風呂蓋からの滑落を防止するため、特許文献１に開示されているように、発泡樹脂からなる芯材の全体に亘って、金属、合金もしくは硬質樹脂で形成された中空の補強杆を複数本内蔵させて、全体的に剛性をもたせる構造が考えられる。
【０００９】
一方で、全体的に剛性を高めた風呂蓋であっても、浴槽への設置位置がずれているときに人が上に乗ると、風呂蓋が浴槽から外れて人が浴槽に落下するおそれがある。そこで、風呂蓋の製造・販売者は、取扱説明書などで風呂蓋の上には乗らないように注意書きをして、その行為を禁止している。ところが、全体的に剛性をもたせた風呂蓋では、上に乗っても安定感があるので、使用者は風呂蓋の上に乗る行為が禁止されていても、乗ってしまいがちである。
【００１０】
本発明は、上記問題を鑑みてなされたものであり、端部どうしを突き合わせるタイプの風呂蓋において、軽量性は維持すると共に、風呂蓋の上に乗ってはいけないことを直感的にわからせつつも、それでも誤って乗ってしまった幼児や使用者の浴槽への滑落を防止することで安全性を向上させることができる風呂蓋を提供することを目的とする。
【課題を解決するための手段】
【００１１】
第１の発明の風呂蓋は、浴槽の３辺に載置され、他の風呂蓋と突き合わせて浴槽を覆うように構成された風呂蓋であって、圧縮永久ひずみが２０％以下且つたわみ性を有する発泡樹脂製芯材を有する本体部を備えており、前記本体部は表裏面に補強用の樹脂板を備えていないものであって、かつ、垂直荷重に対する撓みが許容されるよう構成されており、さらに、少なくとも垂直荷重が作用した際のみ前記浴槽と接触する前記本体部の表面である撓み時接触面に滑り防止部を設けることにより、前記本体部に垂直荷重が作用した際に、前記本体部の他の風呂蓋と突き合わせる側の端部である突き合わせ端部における撓み変形を抑制して、前記突き合わせ端部と、突き合わせ相手となる前記他の風呂蓋との間の鉛直方向における隙間の発生を抑制することを特徴とすることを特徴とする。
【００１２】
第１の発明によれば、発泡樹脂製芯材を圧縮永久ひずみが２０％以下且つたわみ性を有するよう構成し、さらに、本体部の表裏面に補強用の樹脂板を備えていない構成にして、垂直荷重に対する撓みが許容されるよう構成している。このため、本体部に垂直荷重が作用した際に生じる撓みにより、使用者に直感的に風呂蓋に乗ってはいけないことを認識させることができ、使用者が風呂蓋へ乗る行為に対する抑止力を発揮させることができる。
なお、本発明における圧縮永久ひずみが２０％以下且つたわみ性を有する発泡樹脂製芯材を形成できる発泡樹脂としては、例えば、発泡ポリプロピレン、発泡ポリエチレン、軟質発泡ウレタン、発泡ＥＶＡ（Ethylene-Vinyl Acetate）、ポリプロピレンやポリエチレンからなるハイブリット発泡材、発泡ポリ塩化ビニル、エラストマー発泡体、ゴム発泡体などが含まれる。一方、発泡スチロール、硬質発泡ウレタンなどは、風呂蓋の芯材に必要な厚みではほとんど撓まないので含まれない。
【００１３】
また、第１の発明によれば、仮に幼児や使用者が風呂蓋に乗ってしまった場合であっても、風呂蓋に垂直荷重が作用し風呂蓋に撓みが生じると、自動的に滑り防止部が浴槽に接触する。この滑り防止部と浴槽との接触面の摩擦力が、浴槽の３辺に載置されている風呂蓋の端部が浴槽の上から浴槽の内側に滑るときの抵抗力として働き、本体部の突き合わせ端部の撓み変形を抑制することができる。このため、仮に幼児や使用者が風呂蓋に乗ってしまった場合であっても、他の風呂蓋と突き合わされた部分に、使用者が浴槽へと滑落するおそれのある隙間が発生することを防止できる。
【００１４】
第２の発明は、第１の発明において、前記滑り防止部の表面は、前記本体部を浴槽に載置し、前記本体部に垂直荷重が作用していない状態において、前記浴槽と接触している前記本体部の接触面より上方にあることを特徴とする。
【００１５】
第２の発明によれば、風呂蓋を水平移動させて浴槽から外す際に、滑り防止部の表面が本体部に垂直荷重が作用していない状態で浴槽に載置された風呂蓋が接触する浴槽表面に接触せず、滑り防止部の抵抗が風呂蓋に作用しないため、作業性が損なわれない。
【００１６】
第３の発明は、第２の発明において、前記滑り防止部は、少なくとも前記突き合わせ端部近傍の前記撓み時接触面に設けられていることを特徴とする。
【００１７】
突き合わせ端部の撓み変形を抑制するためには、突き合わせ端部の両端から引張力がかかるようにすることが最も効果が高い。そこで、第３の発明によれば、少なくとも突き合わせ端部近傍の、撓み時接触面に滑り防止部を設けているため、垂直荷重が作用した際に滑り防止部と浴槽との接触面における摩擦力により、突き合わせ端部の両端から引張力をかけることができる。このため、より確実に隙間の発生を抑制でき、幼児や使用者が風呂蓋に乗ってしまった場合の安全性をより高めることができる。
【発明の効果】
【００１８】
本発明によれば、軽量性は維持すると共に、風呂蓋の上に乗ってはいけないことを直感的にわからせつつも、それでも誤って乗ってしまった幼児や使用者の浴槽への滑落を防止することで安全性を向上させることができる風呂蓋が提供される。
【図面の簡単な説明】
【００１９】
【図１】実施形態の風呂蓋の模式平面図。
【図２】実施形態の風呂蓋の模式断面図。
【図３】実施形態の風呂蓋の模式断面図。
【図４】実施形態の風呂蓋の模式断面図。
【図５】実施形態の風呂蓋の模式斜視図。
【図６】実施形態の風呂蓋の模式断面図。
【図７】実施形態の風呂蓋の模式平面図。
【発明を実施するための形態】
【００２０】
以下、図面を参照し、実施形態について説明する。各図面中、同じ要素には同じ符号を付している。
【００２１】
図１は、実施形態の風呂蓋１３の模式平面図である。  
図２は、実施形態の風呂蓋１３の模式断面図であり、図１におけるＡ−Ａ断面に対応する。  
図３は、浴槽１００のリム上に載置された風呂蓋１３の模式断面図である。  
図４は、風呂蓋１３の上に幼児が乗り、風呂蓋１３が撓んだ状態を表す模式図である。
【００２２】
実施形態によれば、２枚の風呂蓋１３が組み合わされて、浴槽の開口を塞いで浴槽内に貯留された湯の熱が外へ逃げることを防ぐ。
【００２３】
上方からみたときの平面視において、風呂蓋１３は略四角形状に形成されている。２枚の風呂蓋１３は浴槽の長手方向に並べて配置され、突き合わせ端部側の辺を除く３辺が、浴槽のリムの上面に渡されるように載置される。
【００２４】
図２に示すように、風呂蓋１３は、風呂蓋１３の大部分を占める本体部２０と、本体部２０における突き合わせ端部以外の３辺の側面を被覆している縁材９０と、を有する。
【００２５】
本体部２０は、板状の芯材２１と、芯材２１の表裏面を被覆している表面シート２３と、芯材２１の表裏面と表面シート２３との間に設けられた延伸シート２２と、を有する。
【００２６】
芯材２１は、平面形状が略四角形状の薄板状に形成され、表面、その反対側の裏面、および芯材２１の外形輪郭線に沿って形成された側面（周囲面）を有する。
【００２７】
芯材２１は、外力を加えると弾性変形する発泡樹脂からなる。芯材２１は、例えば、JIS K6767で規定された測定方法によって算出された圧縮永久ひずみが２０％以下であり、さらにたわみ性を有する。圧縮永久ひずみは、材料に荷重を負荷した後、その荷重を除去したときに材料に残ったひずみである。
【００２８】
圧縮永久ひずみが２０％以下、且つ、たわみ性を有する芯材とするために用いる発泡樹脂として、例えば、発泡ポリプロピレン、発泡ポリエチレン、軟質発泡ウレタン、発泡ＥＶＡ（Ethylene-Vinyl Acetate）、ポリプロピレンやポリエチレンからなるハイブリット発泡材、発泡ポリ塩化ビニル、エラストマー発泡体、ゴム発泡体などが挙げられる。実施形態では、例えば、厚さが２０ｍｍのビーズ発泡させた発泡ポリプロピレン（ＥＰＰ）を芯材２１として使っている。
【００２９】
例えば、３０〜６０倍率でビーズ発泡させた発泡ポリプロピレンの圧縮永久ひずみは、８％〜１１％程度である。一方、圧縮永久ひずみが２０％を超える発泡樹脂として、硬質ウレタンフォーム、押出発泡あるいは発泡ビーズ法で発泡させたポリスチレン系樹脂が挙げられる。例えば、３０〜６０倍率でビーズ発泡させた発泡ポリスチレン（ＥＰＳ）の圧縮永久ひずみは、２１％〜２４％程度である。これらの圧縮永久ひずみが２０％を超える発泡樹脂で芯材２１を成形すると、芯材２１に生じた凹みが元に戻らず、風呂蓋１３の表裏面に凹凸が発生するので、風呂蓋には相応しくない。
【００３０】
芯材２１の表裏面は、延伸シート２２を介して表面シート２３で被覆され、外部に露出していない。表面シート２３は、芯材２１の表裏面を保護し、また化粧面として機能する。
【００３１】
表面シート２３は、芯材２１よりも薄く、例えば、厚さが０．２５ｍｍのオレフィン系樹脂のシートからなる。表面シート２３は、外力を加えると弾性変形する弾性を有する。また、表面シート２３は、非透水性を有する。
【００３２】
延伸シート２２は、芯材２１及び表面シート２３よりも薄い。延伸シート２２の厚さは、例えば０．１５μｍである。延伸シート２２は、表面シート２３の線膨張係数よりも小さい線膨張係数を有し、例えば、ポリプロピレンやポリエチレンの繊維クロスである。
【００３３】
延伸シート２２は芯材２１の表裏面に接着剤や熱融着により接着され、延伸シート２２は芯材２１の表裏面に密着している。また、表面シート２３は、延伸シート２２の表面に接着剤により接着され、表面シート２３は延伸シート２２の表面に密着している。
【００３４】
縁材９０は、本体部２０における突き合わせ端部以外の３辺の側面を被覆している。縁材９０は、軟質樹脂製の保護部９２と、保護部９２よりも硬質の硬質樹脂製の補強部９１とを有する。
【００３５】
補強部９１は、例えば、ポリプロピレン、ポリエチレンなどのオレフィン系樹脂からなる。保護部９２は、例えば、オレフィン系エラストマーからなる。
【００３６】
補強部９１は、帯板状に形成され、本体部２０の側面（周囲面）に沿って設けられている。補強部９１は、本体部２０の側面と、保護部９２との間に設けられ、外部に露出していない。
【００３７】
保護部９２は、本体部２０の側面から本体部２０の表裏面の外縁部にわたる領域を連続して覆っている。すなわち、保護部９２は、本体部２０の表裏面と側面とがなす角部を覆っている。
【００３８】
縁材９０は、浴槽内と浴室内の温度差によって本体部２０を反らそうとする応力に対して、本体部２０よりも大きな曲げ強さを発揮して、浴槽リムの上に載置される本体部２０の周端縁部が反らないように本体部２０を補強している。
【００３９】
２枚の風呂蓋１３は、互いの突き合わせ端部どうしを突き合わせて組み合わされることで、浴槽の開口を覆う。その突き合わせ端部には、隙間発生抑制手段として滑り防止部５１が設けられている。
【００４０】
滑り防止部５１は、後述するように、突き合わせ端部どうしを突き合わせて浴槽リムの上に載置された風呂蓋１３の本体部２０に上方から垂直荷重がかかった際に、突き合わせ端部の撓み変形を抑制して、一方の風呂蓋１３の突き合わせ端部と他方の風呂蓋１３の突き合わせ端部とが鉛直方向に離間することで発生する鉛直方向の隙間の発生を抑制する。
【００４１】
滑り防止部５１は、本体部２０の裏面側に設けられている。滑り防止部５１は、例えば、ゲル、ゴム、エラストマー系樹脂などの軟質材料である。
【００４２】
滑り防止部５１は、突き合わせ端部以外の３辺に沿うように、本体部２０の外周側に連続して設けられている。
【００４３】
滑り防止部５１の露出面（図３において下面）が、風呂蓋１３を浴槽１００のリム上に載置した状態において、風呂蓋１３の外周側の裏面が浴槽１００のリムに接触している接触面より上方に位置するよう、滑り防止部５１の下方にはスペース５２が形成されている。
【００４４】
本体部２０は、上方から垂直荷重が作用していない図３に示す状態のときには浴槽１００のリムには接触せずに、図４に示すように風呂蓋１３の上に幼児が乗り、風呂蓋１３に上方から垂直荷重が作用して風呂蓋１３が撓んだときのみ浴槽１００のリムに接触する撓み時接触面を有する。その撓み時接触面に、滑り防止部５１が設けられている。
【００４５】
すなわち、図３に示すように、風呂蓋１３に垂直荷重が作用せず撓んでいない状態では、滑り防止部５１は、浴槽１００のリムに接触していない。
【００４６】
そして、図４に示すように、風呂蓋１３の上に幼児が乗り、風呂蓋１３に上方から垂直荷重が作用して風呂蓋１３が撓むと、これに伴い滑り防止部５１が浴槽１００のリムに接触する。
【００４７】
実施形態によれば、本体部２０の表裏面には、硬質樹脂製の化粧板や補強板が設けられていない。そのため、実施形態の風呂蓋１３は、軽量になり、取り扱い性が向上する。
【００４８】
また、芯材２１は、圧縮永久ひずみが２０％以下かつたわみ性を有しており、垂直荷重に対する撓みが許容されるよう構成されている。すなわち、通常の使用中に風呂蓋１３にかかる程度の外力に対しては塑性変形や破壊することがなく、弾性変形するにとどまる。このため、芯材２１は外力によって一時的に変形しても、すぐに元に戻り、風呂蓋１３が局部的にへこんだままになったり、大きく変形することがない。
【００４９】
また、表面シート２３及び延伸シート２２も、外力を加えると、芯材２１に追随して弾性変形する弾性を有する。このため、表面シート２３及び延伸シート２２は、外力によってへこんだ芯材２１が元に戻る弾性変形を妨げない。
【００５０】
また、延伸シート２２は、延伸素材の為、表面材シート２３よりも線膨張係数が低く、湯の熱など発生するバイメタルによる反りを抑制する。また、延伸シート２２は、引張り強度、曲げ弾性率も高く、比較的薄くても剛性を高めることができる。
【００５１】
また、本体部２０の周端縁部は浴槽リムの上面に載置される部分であるが、その周端縁部が反らないように縁材９０が本体部２０を支えているため、風呂蓋１３と、浴槽リム上面との間に生じる隙間を抑制でき、高い保温能力を発揮することができる。
【００５２】
縁材９０において外部に露出する部分である保護部９２を軟質樹脂として、人や、浴室内の他の構成物に対する当たりを柔らかくする一方で、硬質樹脂製の補強部９１によって、本体部２０の周端縁部を反らそうとする応力に対して本体部２０よりも大きな曲げ強さを発揮させている。
【００５３】
また、芯材２１を圧縮永久ひずみが２０％以下かつたわみ性を有するよう構成し、さらに、本体部２０の表裏面に補強用の樹脂板を備えていない構成にして、垂直荷重に対する撓みが許容されるよう構成している。このため、本体部２０に垂直荷重がかかった際に生じる撓みにより、使用者に直感的に風呂蓋１３に乗ってはいけないことを認識させることができ、使用者が風呂蓋１３へ乗る行為に対する抑止力を発揮させることができる。
【００５４】
また、仮に幼児や使用者が風呂蓋１３に乗ってしまった場合であっても、風呂蓋１３に垂直荷重がかかり風呂蓋１３に撓みが生じると、図４に示すように、自動的に滑り防止部５１が浴槽１００のリムに接触する。滑り防止部５１とリムとの接触面の摩擦力が風呂蓋１３の端部がリムの上から浴槽内側に滑るときの抵抗力として働き、本体部２０の撓み変形を抑制することができる。
【００５５】
突き合わせ端部の撓みを抑制することで、図５に示すように、一対の風呂蓋１３の突き合わせ端部の間に、使用者が浴槽へと滑落するおそれのある鉛直方向の隙間が発生することを防止できる。実施形態によれば、幼児が誤って本体部２０に乗ってしまった場合でも、簡易な構成により浴槽内へと滑落することを防止できる。
【００５６】
このように、実施形態によれば、軽量性を維持しつつ、使用者の浴槽への滑落を防止すると共に、風呂蓋の上に乗ってはいけないことを直感的にわからせることで安全性の高い風呂蓋を実現できる。
【００５７】
また、例えば背が低い使用者は、風呂蓋を洗い場側へ大きく水平移動させて、風呂蓋を外すことが多い。実施形態によれば、本体部２０が浴槽リム上に載置され垂直荷重がかかっていない（撓んでいない）状態（図３）において本体部２０が浴槽のリムと接触する面よりも上方に、滑り防止部５１が設けられている。
【００５８】
このため、図６に示すように、２点鎖線で示す載置位置から、実線で示すように水平移動させて風呂蓋１３を浴槽１００から外す際に、滑り防止部５１の表面が浴槽リムに接触せず、滑り防止部５１の抵抗が風呂蓋１３に作用せず、作業性が損なわれない。
【００５９】
突き合わせ端部の撓み変形を抑制するためには、突き合わせ端部の両端から、図４において白抜き矢印の方向の引張力がかかるようにすることが最も効果が高い。そこで、実施形態によれば、少なくとも突き合わせ端部近傍の、前述した撓み時接触面に滑り防止部５１を設けているため、より確実に隙間の発生を抑制でき、使用者が風呂蓋に乗ってしまった場合の安全性をより高めることができる。
【００６０】
すなわち、図７に示すように、突き合わせ端部近傍の撓み時接触面のみに滑り防止部５１を設けても、突き合わせ端部の撓み変形の抑制に効果を発揮する。
【００６１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６２】
１３…風呂蓋、２０…本体部、２１…芯材、５１…滑り防止部、１００…浴槽
【図１】
2015066322.tif 000003
【図２】
2015066322.tif 000004
【図３】
2015066322.tif 000005
【図４】
2015066322.tif 000006
【図５】
2015066322.tif 000007
【図６】
2015066322.tif 000008
【図７】
2015066322.tif 000009